【事件の表示】
　特許第２９７３３６８号「浴用剤組成物」の請求項１に係る特許に対する特許異議の申立てについて、次のとおり決定する。
【結　論】
　訂正を認める。
　特許第２９７３３６８号の請求項１に係る特許を維持する。
【理　由】
１．手続の経緯
　特許第２９７３３６８号に係る発明についての出願は、平成２年３月３０日に特許出願され、平成１１年９月３日にその発明について特許の設定登録がなされ、その後、その特許について、川研ファインケミカル株式会社より特許異議の申立てがなされ、取消理由通知がなされ、その指定期間内である平成１２年９月２９日に訂正請求がなされたものである。
　　　
２．訂正の適否についての判断
(ａ)訂正の内容
訂正事項ａ
　特許請求の範囲の請求項１の
「……３／７であることを……」を
「……３／７であり、浴用成分を含むことを……」に訂正し、
訂正事項ｂ
　明細書２頁１１〜１５行の
「本発明は、………に係る。」を
「本発明は、前記一般式（１）で表される陰イオン界面活性剤の１〜３０％重量部と、前記一般式（２）で表されるアミド型ベタイン界面活性剤１〜３０％重量部を含み、前記陰イオン界面活性剤と前記アミド型ベタイン界面活性剤の配合割合が１／９〜３／７であり、浴用成分を含むことを特徴とする浴用剤組成物に係る。」と訂正し、
訂正事項ｃ
　第１表が
 
                                                                     とあるのを
 
                                                                     と訂正するものである。
　　　　
(c)訂正の目的の適否、拡張・変更の存否、及び新規事項の追加の有無　　
　上記訂正事項ａは、請求項１の浴用剤組成物の含有成分として限定されていなかった願書に添付した明細書（以下、特許明細書という。）の３頁５行に記載されている浴用成分を追加するものであるから、特許請求の範囲の減縮に該当し、特許明細書に記載された範囲内のものである。
　訂正事項ｂ及びｃは、訂正事項ａの特許請求の範囲の訂正に伴って、特許明細書の記載を整合させるための訂正であるから、明りょうでない記載の釈明に該当する。
　また、これらの訂正事項ａ〜ｂは実質上特許請求の範囲を拡張し、または変更するものでもない。
　　　
　以上のとおりであるから、上記訂正請求は、特許法第１２０条の４第２項及び同条第３項で準用する第１２６条第２〜３項の規定に適合するので、当該訂正を認める。
　　　　
３．特許異議申立についての判断　
イ、本件特許発明
　本件請求項１に係る発明（以下、本件発明という。）は、訂正された特許明細書の記載からみて、特許請求の範囲に記載されたとおりの
「下記一般式（１）で表される陰イオン界面活性剤の１〜３０％重量部と、下記一般式（２）で表されるアミド型ベタイン界面活性剤１〜３０％重量部を含み、前記陰イオン界面活性剤と前記アミド型ベタイン界面活性剤の配合割合が１／９〜３／７であり、浴用成分を含むことを特徴とする浴用剤組成物。
　
　（式中、Ｒ１−２は合計８〜１８個の炭素原子を有する飽和脂肪族炭化水素基を示す。また、Ｍ１はトリエタノールアミン塩、ナトリウム塩、アンモニア塩を示す。）」
と認められる。
　　　　
ロ、異議申立の概要
　異議申立人は、甲第１号証（特開昭６３−２８４１２１号公報）、甲第２号証（特開平１−１５２１９９号公報）及び甲第３号証（化学、４２巻、６号、３８８〜３９１頁、１９８７年）を提出して、本件発明は甲第１〜３号証に記載された発明に基づいて当業者が容易に発明をすることできたものであるから、特許法第２９条第２項の規定に違反してされたものであるので、特許法第１１３条第１項第２号の規定により取り消されるべきであると主張している。
　　　　　　
ハ、証拠記載の発明  
　甲第１号証には、「（Ａ）式：Ｒ１−Ｏ−(Ｃ２Ｈ４０)ｎ−ＳＯ３Ｎａ
［式中、Ｒ１はＣ１２〜Ｃ１６アルキル基を表し、ｎ＝１〜６である。）
で示されるアルキルエーテルスルフェート界面活性剤　　３５〜４５重量％
（Ｂ）　　　　　　・・・・・
（Ｃ）一種またはそれ以上の両性または双性イオン性界面活性剤
１〜５重量％
（Ｄ）　　　　　　・・・・・
（Ｅ）非水溶性香油２〜１０重量％および水３０〜５０重量％
を含有することを特徴とするゲル状浴用起泡濃厚物」（特許請求の範囲第１項）は、泡を豊かに発生し、多量の香油を可溶化し、しかも肌に悪影響を与えず又は肌に好ましくない油状薄膜を残さず、浴槽水に容易かつ迅速に溶解する（２頁左下欄）ことが記載され、双性イオン性界面活性剤の例として、Ｎ−ココナッツアシルアミドプロピル−Ｎ，Ｎ−ジメチルアンモニオグリシネート（３頁右下欄）が例示されている。
　甲第２号証には、「次式（１）で示されるポリオキシエチレンアルキルエーテルスルホン酸塩が０.１〜９０.０wt%、次式（２）……、次式（３）で示される脂肪酸アミドアルキルベタインが０.１〜９９.８wt%それぞれ配合されてなる硬水用洗浄剤組成物。
　Ｒ−(ＯＣＨ２ＣＨ２)ｎ−ＳＯ３−Ｘ　　　　　　　　…（１）
（但し、式中ＲはＣ８〜Ｃ２０の直鎖状又は分岐状のアルキル基又はアルケニル基、ｎは１〜３０の整数、Ｘはナトリウム、カリウム、アンモニア、モノエタノールアミン、ジエタノールアミン、トリエタノールアミンのいずれかを示す。）
……………
　
 （但し、式中ＲはＣ８〜Ｃ２０直鎖又は分岐のアルキル基又はアルケニル基、ｎは１〜８の整数を示す。）」（特許請求の範囲）は、起泡力、起泡持続力、油脂懸濁力、すすぎ易さ、泡のきめ細かさに優れた硬水用洗剤である旨（２頁右上欄）、ポリオキシエチレンアルキルエーテルスルホン酸塩は主として硬水の泡立ち及びすすぎ易さを改善するために使用されること（１２頁左下〜右下欄）、脂肪酸アミドアルキルベタインは主として硬水の泡立ちのきめ細かさを付与するために使用されること（２１頁右下欄）、この硬水用洗浄剤組成物は、固型洗浄剤、ヘヤーシャンプー、ボディシャンプー等の洗浄剤として用いられること（２２頁左上欄）及び実施例１１にポリエチレン（３Ｅ.Ｏ.）アルキル（Ｃ１２〜Ｃ１４）エーテルスルホン酸ナトリウム４％、ラウリル酸アミドプロピルベタイン１０.０％を含有する洗浄剤が記載されている。
　甲第３号証には、市場に提供されているシャンプーにおいて、アニオン性界面活性剤が主原料であり、ラウリルサルフェートやラウリルエトキシサルフェートが用いられること、主界面活性剤のみでは十分に安定な泡が得られない場合に泡の安定性を向上させる目的で補助界面活性剤が用いられること（３８９頁左欄）が記載されており、補助界面活性剤としてアルキルジメチルアミノ酢酸ベタインが例示されている（３８８頁表１）。
　　　　
ニ、対比・判断
　甲第１号証に記載されている事項を総合すると、上記式で示されるアルキルエーテルスルフェート界面活性剤を３５〜４５重量％、Ｎ−ココナッツアシルアミドプロピル−Ｎ，Ｎ−ジメチルアンモニオグリシネートを５〜１４重量％、非水溶性香油２〜１０重量％を含有するゲル状浴用起泡濃厚物が記載されているものと認められる。
　本件発明と、甲第１号証に記載のものとを対比する。
　甲第１号証における非水溶性香油は浴用成分であること、ゲル状浴用起泡濃厚物は浴用剤であることは明らかである。そして、（Ａ）成分の式は本件発明における式（１）に包含されるものであり、Ｎ−ココナッツアシルアミドプロピル−Ｎ，Ｎ−ジメチルアンモニオグリシネートは本件発明におけるベタイン骨格を有する両性界面活性剤として例示されているヤシ油脂肪酸アミドプロピルベタインの別名である。
　そうすると、両者は、一般式（１）で表される陰イオン界面活性剤（以下、陰イオン界面活性剤という。）と、一般式（２）で表されるアミド型ベタイン界面活性剤（以下、アミド型界面活性剤という。）と浴用成分を含む浴用剤組成物である点で一致し、前者は陰イオン界面活性剤とアミド型ベタイン界面活性剤の浴用組成物全体に対する配合割合をそれぞれを１〜３０％重量部、両界面活性剤の配合割合を１／９〜３／７と限定しているのに対し、後者は陰イオン界面活性剤が３５〜４５重量％、アミド型ベタイン界面活性剤が１〜５重量％であり、両界面活性剤の配合割合は配合量から算定される４５／１〜７／１である点で相違する。
　そこでこの相違点について検討すると、甲第２号証には、陰イオン性界面活性剤とアミド型界面活性剤の配合割合が４％及び１０％すなわち４：１０との本件発明の両界面活性剤の配合割合と同じくする硬水用洗浄剤組成物が記載され、また、甲第３号証には、シャンプーとリンスにおける陰イオン界面活性剤とアミド型ベタイン界面活性剤の機能が記載されているものと認められる。
　しかし、甲第２号証における硬水用洗浄剤は固型洗浄剤、ヘヤーシャンプー、ボディシャンプー等に用いられるものであり、甲第３号証に記載のものはシャンプーとリンスであり、共に浴用剤とは使用態様が全く異なることから、これらに記載の事項を浴湯に溶解して使用する浴用剤に適用することを当業者が容易に想到するものとは認められない。
　一方、本件発明は、特許明細書に記載されているように、上記両界面活性剤を特定の割合に配合することにより、日本人の入浴習慣に合致する複数の人が次々に入浴してもバスタブ内の泡が長持ちするという顕著な効果を奏するものである。
　したがって、本件発明は、甲第１〜３号証に記載された発明に基づいて当業者が容易に想到できるものではない。
　　　　
４．むすび
　以上のとおりであるから、本件特許が特許法第２９条第２項に違反して特許されたものではない。
　また、本件特許については、他に取消理由を発見しない。
　よって、結論のとおり決定する。
【異議決定日】
平成１２年１２月１９日（２０００．１２．１９）
【訂正の要旨】
訂正事項ａ
　特許請求の範囲の減縮を目的として、特許請求の範囲の請求項１の
「……３／７であることを……」を
「……３／７であり、浴用成分を含むことを……」に訂正し、
訂正事項ｂ
　明りょうでない記載の釈明を目的として、明細書２頁１１〜１５行の
「本発明は、………に係る。」を
「本発明は、前記一般式（１）で表される陰イオン界面活性剤の１〜３０％重量部と、前記一般式（２）で表されるアミド型ベタイン界面活性剤１〜３０％重量部を含み、前記陰イオン界面活性剤と前記アミド型ベタイン界面活性剤の配合割合が１／９〜３／７であり、浴用成分を含むことを特徴とする浴用剤組成物に係る。」と訂正し、
訂正事項ｃ
　明りょうでない記載の釈明を目的として、第１表が
とあるのを
と訂正するものである。
（５４）【発明の名称】
浴用剤組成物
（５７）【特許請求の範囲】
１．下記一般式（１）で表される陰イオン界面活性剤の１〜３０％重量部と、下記一般式（２）で表されるアミド型ベタイン界面活性剤１〜３０％重量部を含み、前記陰イオン界面活性剤と前記アミド型ペタイシ界面活性剤の配合割合が１／９〜３／７であ
り、浴用成分を含む
Ｒ１−０−（ＣＨ２ＣＨ２Ｏ）ｎ−ＳＯ３−Ｍ１・・・・・（１）
　　　　　　　　　　　　　　　　　　　　　（ｎ＝０−７）
（式中、Ｒ１−２は合計８〜１８個の炭素原子を有する飽和脂肪族炭化水素基を示す。また、Ｍ１はトリエタノールアミン塩、ナトリウム塩、アンモニア塩を示す。）
【発明の詳細な説明】
〈産業上の利用分野〉
　本発明は、浴用剤組成物に関する。
〈従来技術〉
　従来、バブルバスとしては、陰イオン性、非イオン性、イミダゾリン系両イオン性の界面活性剤を配合すること、過脂肪剤として油脂類が用いられることが知られていた。
〈発明が解決すべき問題点〉
　従来、西欧諸国で一般的に使用されているバブルバスは、一回ずつバスタブ内の湯を捨てるため、泡の持続性に関してはあまり考慮されなかった。そこで、本発明者らは、日本人の入浴習慣に合わせたバブルバス処方として、複数の人が次々に入浴してもバスタブ内の泡が長持ちする処方の浴用剤組成物を得ることを目的とし鋭意研究の結果、種々の消泡条件の中から、機械的消泡、化学的消泡（人の体表ワックス、皮脂）に対する耐性を有するものを見出し、本発明を完成した。
〈問題点を解決するための手段〉
　本発明は、前記一般式（１）で表される陰イオン界面活性剤の１〜３０％重量部と、前記一般式（２）で表されるアミド型ベタイン界面活性剤１〜３０％重量部を含み、前記陰イオン界面活性剤と前記アミド型ベタイン界面活性剤の配合割合が１／９〜３／７であ
り、浴用成分を含む
　本発明において、陰イオン界面活性剤としては、ポリオキシエチレンラウリルエーテル硫酸ナトリウム、ポリオキシエチレンラウリルエーテル硫酸トリエタノールアミン、ポリオキシエチレンラウリルエーテル硫酸アンモニウム、ラウリル硫酸トリエタノールアミン、ラウリル硫酸ナトリウム等を例示できるが、ポリオキシエチレンラウリルエーテル硫酸ナトリウム（以下成分１という）が好ましい。
　本発明において、ベタイン骨格を有する両性界面活性剤としては、ヤシ油脂肪酸アミドプロピルベタイン、ラウリルジメチルアミノ酢酸ベタイン、ヤシ油アルキルペタイン（ヤシ油アルキルジメチルアミノ酢酸ベタイン）、２−アルキル−Ｎ−カルボキシメチル−Ｎ−ヒドロキシエチルイミダゾリニウムペタイン等を例示できるが、ヤシ油脂肪酸アミドプロピルベタイン（以下成分２という）が好ましい。
　本発明は、浴用成分として、皮脂分泌促進剤、ビタミン類、海藻、芳香薬剤、生薬、イオウ化合物、リチウム化合物、酵素、冷感剤、保湿剤、乳清を１種以上適当に組合せて用いることができる。
　イオウ化合物としては、イオウ、チオ硫酸ナトリウム・チオ硫酸カルシウム・チオ硫酸カリウム、硫化カルシウム、重硫化カルシウム、硫化カリウム、硫化ナトリウム、硫化アンモニウム、硫化バリウム、硫化亜鉛、硫化すず、硫化アンチモン、硫化鉄、二硫化炭素、硫化リン等を例示できるがこれらに限定されるものではない。これらは１種若しくは２種以上を適当に選定して用いることができる。上記皮脂分泌促進剤の代表的なものとしては、次のものが挙げられる。
▲１▼一般式（Ｉ）
（式中、Ｒは合計１１〜２３個の炭素原子を有し、カルボキシル基結合位から主鎖の中央までに少なくとも一つのアルキル置換基を有する飽和脂肪族炭化水素基を示す）で表される分岐脂肪酸コレステリルエステル。
▲２▼γ−オリザノール。
▲３▼ヨクイニンもしくはヨクイニン抽出物で分子量１、５００以下のもの。
間分岐脂肪酸コレステリルエステルのうち、（１）式中のＲが、
（但し、ｍとｎの和が１４で、ｍ＝ｎ＝７を中心とする分布を有する。）
で表されるものが好ましい。
　更にまた、ビタミン類としては、ビタミンＡ若しくはそのアセテート等の低級脂肪酸エステル、ビタミンＢ２若しくはそのテトラプチレート等の低級脂肪酸エステル、ビタミンＢ６若しくはそのジアシレート等の低級脂肪酸エステル、ビタミンＣ若しくはそのモノ−あるいはジ−アシレート等の低級脂肪酸エステル又はそのリン酸エステル塩、ビタミンＤ（特にビタミンＤ２）、ビタミンＥ若しくはそのアセテート等の低級脂肪酸エステル、ビタミンＦ、ビタミンＨ、パントテン酸、ニコチン酸、ビタミンＥニコチン酸エステル、イノシット等が挙げられる。
　更にまた、海藻抽出物の原料の海藻としては、例えばアナアササ、ミル、ウスバアオノリ、ヒトニグサ、スジアオノリ、カサノリ、ヘライワツダ、ハネモ、ナガミル等の緑藻植物；ウミウチワ、アミジグサ、モズク、イロロ、マツモ、イワヒゲ、ハバノリ、ウルシグサ、カジメ、マコンブ、ワカメ、トロロコンブ、ヒジキ、アラメ、ホンダワラ、ウミトラノオ、スギモリ、オオバモリ等の褐藻植物；アルバアマノリ、アサクサノリ、スサビノリ、ウミゾウメン、ヒラクサ、マクサ、トリアシ、ハナフノリ、フクロフノリ、トリアシ、ヒカデノリ、トサカノリ、トゲキリンサイ、アカバギンナンソウ、コトジツノマタ、ツノマタ、アヤニシキ、マクリ、エゴノリ、オゴノリ、イバラノリ等の紅藻植物が挙げられるが、就中褐藻植物が好ましい。更にまた、芳香薬剤としては、次のものが挙げられる。
▲１▼覚醒用香料：
　精油（はっか、ユーカリ、レモン、ペルペナ、シトロネラ、カヤプテ、サルピア、タイム、クロープ、ローズマリー、ヒソップ、ぺ−ジル等）、エキス（オニオン、ガーリック等）、蟻酸、酢酸、蟻酸エチル、蟻酸プロピル、酢酸エステル（エチル、プロピル、ブチル、ヘプチル、ノニル、メンチル、イソメンチル等）、亜硝酸アミル、トリメチルシクロヘキサノール、アリルサルファイド。
▲２▼催眠用香料：
精油（ジャスミン、カモミル、ネロリ等）、ノニルアルコール、デシルアルコール、フェニルエチルアルコール、炭酸メチル、炭酸エチル。
▲３▼食欲抑制用香料：
　よもぎ油、ローズマリー油、ユーカリ油、ミル油、フェニル酢酸エステル、グアヤコール、インドール、クレゾール、チオフェノール、Ｐ−ジクロロベンゼン、Ｐ−メチルキノリン、イソキノリン、ピリジン、有機アミン類、カンファー、メルカプタン、アンモニア、硫化水素。
▲４▼食欲促進用香料：
　精油（ぺージル、ペリラ、マジョラム、タイム、ローレル、ジュニパーベリー、レモン、ナツメグ、ジンジャー、オニオン、ガーリック等）、カルボン、エストラゴール、エレモール。
▲５▼不安解消・抗うつ用香料：
　精油（ラベンダー、ベルガモット、レモン、マジョラム、ローズマリー、クラリーセージ、ペパーミント、べージル、ローズ、ジャスミン、プチグレン、ナツメグ、シナモン、グローブ、メース、ジンジャー等）、シトラール、シトロネラール、ボルネオール、リナロール、ゲラニオール、ネロール、ロジノール。
▲６▼その他の香料：
　精油（オレンジ、レモン、ベルガモット、ラベンダー、ローズマリー、べージル、ペパーミント、樟脳、ユーカリ、クローブ、シナモン、ナツメグ、メース、ジンジャー、せんようにんじんほく、アルテミジア、カンファー、サルビア等）、メントール、シネオール、オイゲノール、シトラール、ヒドロキシシトロネラール、アブシンス油酢酸、酢酸エステル、サンダルウッド油、コスタス油、ラブダナム油、アンバー、ムスク、α−ピネン、リモネン、サリチル酸メチル、テルペン系化合物。
　更にまた、生薬は特に制限されないが、例えば、ソウジュツ、ビャクジュッ、カノコソウ、ケイガイ、コウボク、センキュウ、トウヒ、トウキ、ショウキョク、シャクヤク、オウバク、オウゴン、サンシン、ケイヒ、ニンジンブクリョウ、ドクガク、ショウブ、ガイヨウ、マツブサ、ビャクシ、ジュウヤク、ウイキョウ、チンピ、カンピ、カミツレ等が挙げられる。これらは一種又は二種以上の混合物として使用することができ、更にこれらはその粉末でも、非極性若しくは極性溶媒抽出物、抽出エキスであってもよい。
　更にまたリチウム化合物とは、浴湯中に弱酸性入浴剤を溶解させた場合リチウムイオンを放出させるものであれば特に限定されないが、例えば炭酸リチウム、クエン酸リチウム、硫酸リチウム、アスパラギン酸リチウム、グルタミン酸リチウム、硝酸リチウム、沃化リチウム、グルコン酸リチウム、酢酸リチウム、塩化リチウム、アジピン酸リチウム等を挙げることが出来る。
　更にまた、酵素としては、プロテアーゼ若しくはリパーゼを挙げることができる。プロテアーゼとしては、温度３０〜５０℃においてＰＨ４〜７で活性を呈するプロテアーゼが好ましく、動物、植物由来のプロテアーゼが使用でき、例えばペプシン、トリプリン、キモトリプシン、カテプシン、パパイン、プロメライン、フイシン、更にカビ、酵母、細菌由来のプロテアーゼ等が挙げられる。
　更にまた、本発明で使用される冷感剤としては次のものが例示される。
▲１▼１−メントール、カンファー、チモル
▲２▼メントール誘導体
Ｒ：炭素数１〜８のアルキル基、単糖類残基、
（式中、Ａは単結合もしくは炭素数１〜８のアルキレン基、Ｒ１は炭素数１〜８のアルキル基、ｍは０〜６の数を表す）
▲３▼次の化合物
（式中、Ｒ′、Ｒ″は水素又は炭素数１〜８のアルキル基もしくはヒドキシアルキル基を示す）
▲４▼単環式化合物
（Ｒ′、Ｒ″は前記と同じ）
Ｒ２：水素、炭素数１〜８のアルキル基
ｎ：０〜５の整数
▲５▼二環式化合物
Ｙ：−ＯＨ，−ＣＯＯＨ，−ＣＯＯＲ１（Ｒ１は前記と同じ）
Ｒ３：水素、炭素数１〜８のアルキル基
１：１又は２
▲６▼三環式アルコール
（式中、Ｒ４は炭素数１〜８の炭化水素基を示し、点線は単結合であるか又は二重結合であることを示す）
（式中、Ｒ５及びＲ６は同一又は異なって、何れか一方が水素原子で他方が炭素数１〜８の炭化水素基を示すか、またはＲ５とＲ４が一緒になって炭素数２〜６の環を形成する。Ｒ７は水素原子又は炭素数１〜８の炭化水素基を示す）
▲７▼三環式アミド
（式中、Ｒ８及びＲ９は、同一又は異なって水素原子、ヒドロキシ基、低級アルコキシ基、若しくは低級アルコキシカルボニルで置換されていても良い炭化水素基又はヒドロキシ基若しくは低級アルコキシ基で置換されたフェニル基を示すか、Ｒ８とＲ９が一緒になって隣接する窒素原子を示す）
　更にまた、本発明で使用される保湿剤の代表的ものとしては、次のものが挙げられる。
▲１▼乳酸ナトリウム、酒石酸二ナトリウム、ピロリドンカルボン酸ナトリウム、グルタミン酸ニナトリウムなどの有機酸塩類。
▲２▼プロピレングリコール、１、３−ブチレングリコール、グリセリン、ソルビトールなどの多価アルコール類。
▲３▼ポリエチレングリコール、ボリビニルアルコール、アルギン酸ナトリウム、ポリビニルピロリドンなどの水溶性高分子。
▲４▼コンドロイチン硫酸、ヒアルロン酸などのムコ多糖類
▲５▼コラーゲンやその誘導体
▲６▼核酸（ＤＮＡ、ＲＮＡ）、エラスチン等の蛋白質、ケラチン、ヒブロイン及びその加水分解物。
　本発明においてガスを発生する物質としては、水中に浸漬させたときにガスを発生する物質であれば、いかなるものでも使用しうるが、たとえば、水中で酸と炭酸塩との反応により炭酸ガスを発生するもの；水中で過炭酸ソーダのように酸素ガスを発生するもの；液化酸素、液化チッ素、液化炭酸などの液化ガス；ドライアイスなどのように水中でガスを発生する固体などをあげることができる。これらガス発生剤は、泡立ちを助けるので好ましい。
　前記水中で酸と炭酸塩との反応により炭酸ガスを発生する物質に用いられる酸としては有機酸および無機酸のいずれも使用しうるが、これらのものは水溶性で固体のものが好ましい。
　有機酸としては、たとえばアミノカルボン酸、ギ酸、酢酸、プロピオン酸、酪酸、吉草酸などの直鎖脂肪酸；シュウ酸、マロン酸、コハク酸、グルタル酸、アジピン酸、ピメリン酸、フマル酸、マレイン酸、フタル酸、イソフタル酸、テレフタル酸などのジカルボン酸；グルタミン酸、アスパラギン酸などの酸性アミノ酸；グルコール酸、乳酸、ヒドロキシアクリル酸、α−オキシ酪酸、グリセリン酸、タルトロン酸、リンゴ酸、酒石酸、クエン酸、サリチル酸（ｏ、ｍ、ｐ）、没食子酸、マンデル酸、トロパ酸、アスコルビン酸、グルコン酸などのオキシ酸；ケイ皮酸、安息香酸、フェニル酢酸、ニコチン酸、カイニン酸、ソルビン酸、ピロリドンカルボン酸、トリメリット酸、ベンゼンスルホン酸、トルエンスルホン酸ならびにこれらの有機酸の酸性塩があげられる。
　無機酸としては、たとえば、リン酸、リン酸二水素カリウム、リン酸二水素ナトリウム、亜硫酸ナトリウム、亜硫酸カリウム、ピロ亜硫酸ナトリウム（メタ重亜硫酸ナトリウム）、ピロ亜硫酸カリウム（メタ重亜硫酸カリウム）、酸性ヘキサメタリン酸ナトリウム、酸性ヘキサメタリン酸カリウム、酸性ピロリン酸ナトリウム、酸性ピロリン酸カリウム、スルファミン酸などがあげられる。これらのなかでもコハク酸などの脂肪族ジカルボン酸、酒石酸、クエン酸などのオキシ酸、フマル酸、リン酸およびその酸性塩は、価格、製剤の安定性の点からとくに好適に使用しうる。
　また前記炭酸塩としては、たとえば炭酸水素ナトリウム、炭酸ナトリウム、セスキ炭酸ナトリウム、炭酸水素カリウム、炭酸カリウム、セスキ炭酸カリウム、炭酸水素アンモニウム塩、炭酸アンモニウム塩、セスキ炭酸アンモニウム塩などがあげられ、これらは単独あるいは２種以上を組合せて使用しうる。
　前記イオウ及びイオウ化合物の配合割合は、広い範囲の量で配合できるが、一般には０．００１〜５％、特に０．０１〜１％が好ましい。
　また、皮脂分泌促進剤は、広い範囲の量で配合できるが、一般には全組成に対し０．１〜５．０％、特に０．５〜２．０％が好ましい。
　また、ビタミン類は、広い範囲の量で配合できるが、一般には全組成に対し０．００１〜１０％、特に０．０１〜２％が好ましい。
　また、海藻抽出物は、広い範囲の量で配合できるが、一般には全組成に対し０．００１〜２％が好ましい。
　また、芳香薬剤は、広い範囲の量で配合できるが、一般には全組成に対し０．００１〜１０％、特に０．０１〜２％が好ましい。
　また、生薬は、広い範囲の量で配合できるが、一般には全組成に対し０．００１〜１０％、特に０．０１〜２％が好ましい。
　また、リチウム化合物は、広い範囲の量で配合できるが、一般には全組成に対し０．００１〜１０％、特に０．０１〜２％が好ましい。
　また、酵素は、広い範囲の量で配合できるが、一般には全組成に対し１０００〜１０００００単位／ｇの活性の酵素を０．００１〜１０％、特に０．０１〜２％配合するのが好ましい。
　また、冷感剤は、広い範囲の量で配合できるが、一般には全組成に対し０．００１〜１０％、特に０．０１〜２％が好ましい。
　また、保湿剤は、広い範囲の量で配合できるが、一般には全組成に対し０．００１〜１０％、特に０．０１〜２％が好ましい。
　また、乳清は、広い範囲の量で配合できるが、一般には全組成に対し０．１〜８０％、特に１〜５０％が好ましい。
　前記ガス発生剤の配合割合は全組成物重量に対し１０％〜９８％、特に２０％〜９７％が好ましい。
　前記ガス発生剤の中で２種の化合物を混合してＣＯ２ガスを発生させるもので炭酸塩と酸の配合量は、入浴剤を浴湯に加えたとき浴湯が弱酸性を呈するような比率、すなわち入浴剤の０．０１重量％に溶液がＰＨ４〜７、特に好ましくはＰＨ５．０〜６．７になるようにすることが必要である。ＰＨが４より低いと肌への刺激が強いと共に風呂釜等をいためる惧れがあり、またＰＨが７を超えると本発明の効果が奏されない。
　上記各成分の配合割合は、通常、成分１が１〜３０％重量部、成分２が１〜３０％重量部の間で自由に変えられるが、好ましくは成分１が１〜２０％重量部、成分２が１０〜３０％重量部である。成分１と成分２との好ましい配合割合は２：８〜３：７である。
　本発明組成物には、上記各成分以外にも、粘度調整剤（例えば、ジプロピレングリコール、１、３−ブチレングリコール、プロピレングリコール等を例示できる）、香料、防腐剤、水等を加えることができる。上記粘度調整剤の配合割合としては、０〜１０％好ましくは、０〜５％である。
〈作用〉
　本発明は上述のごとく、複数の人が次々に入浴してもバスタブ内の泡の量が減少せず、泡が消泡せず、最初の時と同じ程度の泡の量を維持できるという優れた作用を発揮する。
〈実施例〉
　以下に本発明実施の一例にもとづき詳細に説明する。
実施例１
　予め成分１に粘度調整剤（０〜５％）を加え均一に混合／撹拌し、成分２を第１表に記載された割合で均一に混合する。さらに、香料（１〜３％）、防腐剤（０．１〜０．２％）、色素（０．００１〜０．５％）、その他の成分（２〜４％）及び精製水（適量）を加えて混合／撹拌し、本発明バブルバスを得た。
　また、下記方法で、起泡力試験と泡安定性試験を行い、その結果を第１表に併記した。
（１）起泡力試験：実用濃度（１万倍、２０ｍｌ／２００Ｌ）に希釈した製剤を、５００ｍｌの分液ロートに入れ、９０ｃｍの高さから、予め１００ｍｌの製剤希釈液の入った容量１Ｌのメスシリンダーに落下させたときに生じる泡の高さを測定する。但し、バブルバスの場合は、水道水の落下圧を利用してバスタブ内に泡をたてるので、初期の泡立ちの大小に関しては、製品自体の起泡力よりも水圧の方がより大きな要因になる。従って、初期の泡立ちを評価する今回の起泡力試験結果については、ある程度の数値を確保していれば、特に問題とはしない。
（２）安定性試験：所定量の製剤（２０ｍｌ／２００Ｌに換算）を１Ｌのビーカーに入れ、９０ｃｍの高さから、４２〜４５℃の湯を落下させてビーカー内に実用濃度の泡を作り出す。その中に、適量の人工皮脂（下記）を均一に塗布した２００ｍｌのフラスコを出し入れして物理的・化学的に消泡させ、泡の高さが１０ｍｍを切るまでに、そのフラスコを何回上下できるかを目安として、泡の安定性を比較した。
　使用した人工皮脂の成分組成を以下に示す。
スクワレン（Ｓｑｕａｌｅｎｅ）　　　　　　２０％
コレステロール（Ｃｈｏｒｅｓｔｅｒｏｌ）　１０％
パルミチン酸（Ｐａｌｍｉｔｉｃ　Ａｃｉｄ）２０％
トリオレイン（Ｔｒｉｏｌｅｉｎ）　　　　　５０％
〈発明の効果〉
　本発明は上述のように特定の界面活性剤を配合することにより日本人の入浴習慣に合致する複数の人が次々に入浴してもバスタブ内の泡が長持ちする、すなわち人の体表ワックス、皮脂に対し優れた耐性を有するという極めて優れた特徴を有する。